(57)【要約】【課題】すべての放電灯が寿命末期であっても、一の放電灯が寿命末期で他の放電灯が正常であっても、複数の放電灯の寿命末期を正確に検出することができる。【解決手段】インバータ部１１によって直流電圧から変換された高周波電圧を、共振回路部１２を介して放電灯２０，２１に供給した場合に、ランプ電圧検出部４がランプ電圧を検出してランプ電圧検出値を出力する。また、バランサ電圧検出部５が、バランサ１３に発生するバランサ電圧を検出してバランサ電圧検出値を出力する。続いて、制御部６において、乗算器６０がランプ電圧検出値及びバランサ電圧検出値を入力し、上記ランプ電圧検出値に上記バランサ電圧検出値を乗算する。その後、比較器６１が乗算値と閾値電圧の比較を行い、乗算値が閾値電圧を超えると、発振停止制御回路部６２が第１制御回路部６３及び第２制御回路部６４に停止信号を出力し、インバータ部１１の発振を停止する。【選択図】図１
2007103136.tif 000002
【特許請求の範囲】
【請求項１】
直流電圧を所望の周波数の高周波電圧に変換するインバータ手段と、
前記高周波電圧を、周波数に応じて大きさを設定し、互いに並列に接続する複数の放電灯に供給する共振回路部と、
前記複数の放電灯の点灯状態の電気的パラメータを検出し、当該電気的パラメータに基づいたランプ異常検出値を出力するランプ異常検出手段と、
前記複数の放電灯のそれぞれと直列に接続し、前記複数の放電灯間の光出力を安定化するバランサと、
前記バランサに発生するバランサ電圧に基づいたバランサ電圧検出値を出力するバランサ電圧検出手段と、
前記バランサ電圧検出値に応じて前記ランプ異常検出値の補正を行い、補正値に基づいて前記高周波電圧の周波数を設定するように前記インバータ手段を制御して、前記複数の放電灯の光出力を抑制する制御手段と
を備えることを特徴とする放電灯点灯装置。
【請求項２】
前記制御手段が、前記補正として前記ランプ異常検出値に前記バランサ電圧検出値を乗算し、乗算値を前記補正値とし、前記補正値が予め決められた閾値を超えると、前記高周波電圧の周波数を設定するように前記インバータ手段を制御して、前記複数の放電灯の光出力を抑制することを特徴とする請求項１記載の放電灯点灯装置。
【請求項３】
前記制御手段が、前記補正として前記バランサ電圧検出値に基づいた閾値と前記ランプ異常検出値とを比較し、前記比較結果を前記補正値とし、前記補正値において前記ランプ異常検出値が前記閾値を超えると、前記高周波電圧の周波数を設定するように前記インバータ手段を制御して、前記複数の放電灯の光出力を抑制することを特徴とする請求項１記載の放電灯点灯装置。
【請求項４】
前記制御手段が、前記補正として前記ランプ異常検出値に前記バランサ電圧検出値を加算し、加算値を前記補正値とし、前記補正値が予め決められた閾値を超えると、前記高周波電圧の周波数を設定するように前記インバータ手段を制御して、前記複数の放電灯の光出力を抑制することを特徴とする請求項１記載の放電灯点灯装置。
【請求項５】
前記ランプ異常検出手段が、前記複数の放電灯の両端間に発生する前記ランプ電圧に基づいた前記ランプ異常検出値を出力するランプ電圧検出部を含むことを特徴とする請求項１〜４のいずれか記載の放電灯点灯装置。
【請求項６】
前記高周波電圧の周波数を調整して前記複数の放電灯を調光する調光手段を備え、
前記制御手段が、前記調光手段からの出力値を前記補正値に加算する
ことを特徴とする請求項１〜５のいずれか記載の放電灯点灯装置。
【請求項７】
前記高周波電圧の周波数を調整して前記複数の放電灯を調光する調光手段を備え、
前記制御手段が、前記調光手段からの出力値に応じて前記閾値を設定する
ことを特徴とする請求項２〜４のいずれか記載の放電灯点灯装置。
【請求項８】
前記インバータ手段が、２つのスイッチング素子を直列に備え、
前記制御手段が、前記２つのスイッチング素子のそれぞれに対するオンデューティーを設定して前記複数の放電灯を調光する
ことを特徴とする請求項１〜５のいずれか記載の放電灯点灯装置。
【請求項９】
請求項１〜８のいずれか記載の放電灯点灯装置と、
互いに並列に接続し、前記放電灯点灯装置によって点灯動作が制御される複数の放電灯と
を備えることを特徴とする照明器具。
【発明の詳細な説明】
【技術分野】
【０００１】
本発明は、複数の放電灯を高周波電圧で点灯させるために用いられる放電灯点灯装置及びこれを含む照明器具に関するものである。
【背景技術】
【０００２】
従来、この種の照明器具は、例えば特許文献１などに開示されているような放電灯点灯装置を備えている。一例として、図１６に示すような放電灯点灯装置９は、放電灯９５の寿命末期検出手段としてランプ電圧検出手段を用いるものであり、直流電源部９０と、インバータ部９１と、共振回路部９２と、ランプ電圧検出部９３と、制御部９４とを備えている。放電灯点灯装置９の動作について説明すると、先ず、放電灯９５が寿命末期になると、放電灯９５の両端電圧が上昇する。続いて、ランプ電圧検出部９３からのランプ電圧検出値が予め決められた閾値を超えると、制御部９４が、インバータ部９１を停止させたり、又は放電灯９５の出力を低下させたりする。
【０００３】
また、複数の放電灯を互いに並列に接続するものとして、図１７に示すような放電灯点灯装置９ａがある。なお、図１７のｋ〜ｐは図１６のｋ〜ｐで直流電源部９０、インバータ部９１と接続する。放電灯点灯装置９ａは、放電灯点灯装置９（図１６参照）と同様に、直流電源部９０と、インバータ部９１と、制御部９４とを備えているとともに、共振回路部９２ａと、ランプ電圧検出部９３ａとを備えている。放電灯点灯装置９ａの動作について説明すると、先ず、放電灯９５０，９５１の一方が寿命末期になると、ランプ電圧が上昇する。続いて、ランプ電圧検出部９３からのランプ電圧に基づいたランプ電圧検出値が予め決められた閾値を超えると、制御部９４が、インバータ部９１を停止させたり、又は放電灯９５の出力を低下させたりする。
【０００４】
さらに、他の例として、図１８に示すような放電灯点灯装置９ｂがある。なお、図１８のｋ〜ｐは図１６のｋ〜ｐで直流電源部９０、インバータ部９１と接続する。放電灯点灯装置９ｂは、放電灯点灯装置９（図１６参照）と同様に、直流電源部９０と、インバータ部９１と、制御部９４とを備えているとともに、共振回路部９２ｂと、バランサ９６と、バランサ電圧検出部９７とを備え、複数の放電灯９５０，９５１を互いに並列点灯させる場合、バランサ９６によって放電灯９５０，９５１間の出力を安定化させるものである。放電灯点灯装置９ｂにおいて、放電灯９５０，９５１の一方が寿命末期になった場合、放電灯９５０と放電灯９５１の間でインピーダンスが異なるので、放電灯９５０，９５１間のバランスが崩れ、バランサ９６に発生するバランサ電圧が上昇する。バランサ電圧検出部９７が上記バランサ電圧を検出してバランサ電圧検出値を制御部９４に出力する。制御部９４が複数の放電灯９５０，９５１の寿命末期を検出する。
【０００５】
なお、「放電灯の寿命末期」とは、放電灯の寿命末期時にフィラメントが消耗することによって引き起こされる半波放電状態（エミレス状態）、フィラメントの一方又は両方が変形することによって引き起こされる異常状態、放電灯に封入している希ガスなどが漏れることによって引き起こされる異常放電状態（スローリーク）、放電灯と放電灯点灯装置との接触不良によって引き起こされる異常放電状態なども含み、放電灯に流れる電流などの電気的特性が通常の点灯状態とは異なる状態になることを意味する。
【特許文献１】特開平１０−２２８９８６号公報（第５〜９頁及び第１図）
【発明の開示】
【発明が解決しようとする課題】
【０００６】
しかしながら、上記従来の放電灯点灯装置は、複数の放電灯と接続する場合、以下のような問題があった。先ず、放電灯点灯装置９ａにおいて、一の放電灯が寿命末期で他の放電灯が正常である場合、ランプ電圧検出値が上昇しにくく、複数の放電灯の寿命末期を正確に検出することができないという問題があった。ランプ電圧検出値が上昇しにくいのは、複数の放電灯が同じ閾値を用いるので、一の放電灯が寿命末期になってランプ電圧が増加しても、他の放電灯が正常でありランプ電圧が低いままであることが原因である。上記問題を解決するために、放電灯ごとに閾値を設けると、コストアップになるという問題が新たに発生してしまう。
【０００７】
一方、放電灯点灯装置９ｂにおいて、複数の放電灯間でインピーダンスが異なる場合ではバランサ電圧が増加するものの、放電灯間の寿命末期状態が略等しい場合ではバランサ電圧が発生しないので、複数の放電灯の寿命末期を検出しにくいという問題があった。
【０００８】
本発明は上記の点に鑑みて為されたものであり、その目的とするところは、すべての放電灯が寿命末期であっても、一の放電灯が寿命末期で他の放電灯が正常であっても、複数の放電灯の寿命末期を正確に検出することができる放電灯点灯装置及びこれを含む照明器具を提供することにある。
【課題を解決するための手段】
【０００９】
請求項１に記載の発明は、直流電圧を所望の周波数の高周波電圧に変換するインバータ手段と、前記高周波電圧を、周波数に応じて大きさを設定し、互いに並列に接続する複数の放電灯に供給する共振回路部と、前記複数の放電灯の点灯状態の電気的パラメータを検出し、当該電気的パラメータに基づいたランプ異常検出値を出力するランプ異常検出手段と、前記複数の放電灯のそれぞれと直列に接続し、前記複数の放電灯間の光出力を安定化するバランサと、前記バランサに発生するバランサ電圧に基づいたバランサ電圧検出値を出力するバランサ電圧検出手段と、前記バランサ電圧検出値に応じて前記ランプ異常検出値の補正を行い、補正値に基づいて前記高周波電圧の周波数を設定するように前記インバータ手段を制御して、前記複数の放電灯の光出力を抑制する制御手段とを備えることを特徴とする。
【００１０】
この構成では、バランサ電圧検出値に応じてランプ異常検出値を補正することができるので、すべての放電灯が寿命末期であっても、一の放電灯が寿命末期で他の放電灯が正常であっても、複数の放電灯の寿命末期を正確に検出することができる。
【００１１】
請求項２に記載の発明は、請求項１に記載の発明において、前記制御手段が、前記補正として前記ランプ異常検出値に前記バランサ電圧検出値を乗算し、乗算値を前記補正値とし、前記補正値が予め決められた閾値を超えると、前記高周波電圧の周波数を設定するように前記インバータ手段を制御して、前記複数の放電灯の光出力を抑制することを特徴とする。この構成では、複数の放電灯に対して正常時の誤検出や寿命末期時の未検出をより低減することができるので、複数の放電灯の寿命末期をより正確に検出することができるとともに安全性をより確実に確保することができる。
【００１２】
請求項３に記載の発明は、請求項１に記載の発明において、前記制御手段が、前記補正として前記バランサ電圧検出値に基づいた閾値と前記ランプ異常検出値とを比較し、前記比較結果を前記補正値とし、前記補正値において前記ランプ異常検出値が前記閾値を超えると、前記高周波電圧の周波数を設定するように前記インバータ手段を制御して、前記複数の放電灯の光出力を抑制することを特徴とする。この構成では、複数の放電灯に対して正常時の誤検出や寿命末期時の未検出をより低減することができるので、複数の放電灯の寿命末期をより正確に検出することができるとともに安全性をより確実に確保することができる。
【００１３】
請求項４に記載の発明は、請求項１に記載の発明において、前記制御手段が、前記補正として前記ランプ異常検出値に前記バランサ電圧検出値を加算し、加算値を前記補正値とし、前記補正値が予め決められた閾値を超えると、前記高周波電圧の周波数を設定するように前記インバータ手段を制御して、前記複数の放電灯の光出力を抑制することを特徴とする。この構成では、ランプ異常検出値にバランサ電圧検出値を加算することにより、すべての放電灯が寿命末期であっても、一の放電灯が寿命末期で他の放電灯が正常であっても、複数の放電灯の寿命末期をより正確に検出することができる。また、コストを抑えることができる。
【００１４】
請求項５に記載の発明は、請求項１〜４のいずれかに記載の発明において、前記ランプ異常検出手段が、前記複数の放電灯の両端間に発生する前記ランプ電圧に基づいた前記ランプ異常検出値を出力するランプ電圧検出部を含むことを特徴とする。この構成では、複数の放電灯における寿命末期のインピーダンスの変化をランプ電圧として検出することができるので、複数の放電灯の寿命末期をさらに正確に検出することができる。
【００１５】
請求項６に記載の発明は、請求項１〜５のいずれかに記載の発明において、前記高周波電圧の周波数を調整して前記複数の放電灯を調光する調光手段を備え、前記制御手段が、前記調光手段からの出力値を前記補正値に加算することを特徴とする。この構成では、高周波電圧の周波数に応じてランプ異常検出値を調整することができるので、ランプ異常検出値に漏れ電流や磁気影響などの歪みが発生した場合であっても、複数の放電灯の寿命末期をより正確に検出することができる。
【００１６】
請求項７に記載の発明は、請求項２〜４のいずれかに記載の発明において、前記高周波電圧の周波数を調整して前記複数の放電灯を調光する調光手段を備え、前記制御手段が、前記調光手段からの出力値に応じて前記閾値を設定することを特徴とする。この構成では、高周波電圧の周波数に応じて閾値を調整することができるので、ランプ異常検出値に漏れ電流や磁気影響などの歪みが発生した場合であっても、複数の放電灯の寿命末期をより正確に検出することができる。
【００１７】
請求項８に記載の発明は、請求項１〜５のいずれかに記載の発明において、前記インバータ手段が、２つのスイッチング素子を直列に備え、前記制御手段が、前記２つのスイッチング素子のそれぞれに対するオンデューティーを設定して前記複数の放電灯を調光することを特徴とする。この構成では、複数の放電灯に対して調光を行った場合であっても高周波電圧の周波数を略一定とすることができるので、ランプ異常検出値に漏れ電流が発生することがなく、複数の放電灯の寿命末期をより正確に検出することができる。
【００１８】
請求項９に記載の発明は、請求項１〜８のいずれかに記載の放電灯点灯装置と、互いに並列に接続し、前記放電灯点灯装置によって点灯動作が制御される複数の放電灯とを備えることを特徴とする。
【００１９】
この構成では、バランサ電圧検出値に応じてランプ異常検出値を補正することができるので、すべての放電灯が寿命末期であっても、一の放電灯が寿命末期で他の放電灯が正常であっても、複数の放電灯の寿命末期を正確に検出することができる。
【発明の効果】
【００２０】
本発明によれば、すべての放電灯が寿命末期であっても、一の放電灯が寿命末期で他の放電灯が正常であっても、複数の放電灯の寿命末期を正確に検出することができる。
【発明を実施するための最良の形態】
【００２１】
（実施形態１）
本発明の実施形態１について図１を用いて説明する。図１は、実施形態１の照明器具を示す回路図である。図２は、実施形態１の照明器具の構成を示す概略図である。
【００２２】
先ず、実施形態１の基本的な構成について説明する。実施形態１の照明器具は、図１に示すように、放電灯点灯装置１と、電球型放電灯２とを備え、交流電源ＡＣと接続している。交流電源ＡＣは、例えば商用電源などであり、交流電圧を放電灯点灯装置１に供給するものである。また、実施形態１の照明器具は、図２に示すようなボディ３を備え、天井Ａに取り付けられている。
【００２３】
電球型放電灯２は、図１に示すように、２つの放電灯（ランプ）２０，２１を備えている。２つの放電灯２０，２１は、互いに並列に接続し、放電灯点灯装置１によって点灯動作が制御されるものである。なお、放電灯２０，２１は、電球型に限定されるものではなく、一般照明用の蛍光灯や、殺菌灯、カラー照明用の蛍光灯、熱陰極形蛍光灯、冷陰極形蛍光灯など、放電現象に起因して発光するすべての発光手段を含むものとする。また、放電灯２０，２１の形状も、主に施設や店舗用途に用いられる直管型や主に住宅用途に用いられる環型、主にダウンライトの器具に用いられるコンパクト型であってもよい。
【００２４】
放電灯点灯装置１は、直流電源部１０と、インバータ部１１と、共振回路部１２と、バランサ１３と、ランプ電圧検出部４と、バランサ電圧検出部５と、制御部６とを備えている。
【００２５】
直流電源部１０は、交流電源ＡＣ側から順に、ダイオードブリッジ１００と、昇圧形チョッパ１０１とを備えている。ダイオードブリッジ１００は、交流電源ＡＣから入力された交流電圧を全波整流する単相全波整流回路である。
【００２６】
昇圧形チョッパ１０１は、ダイオードブリッジ１００側から順に、インダクタ１０２と、スイッチング素子１０３と、ダイオード１０４と、電解コンデンサ１０５とを備えている。スイッチング素子１０３は、例えば電解効果トランジスタ（ＦＥＴ）などであり、後述する制御部６の第２制御回路部６４からの制御信号に基づいてオンオフの切り替えを行う。電解コンデンサ１０５は、大容量を有している。上記昇圧形チョッパ１０１は、ダイオードブリッジ１００から入力された直流電圧を、インバータ部１１に適する直流電圧に変換する。具体的には、先ず、スイッチング素子１０３をオンにすると、ダイオードブリッジ１００からの直流電圧は、インダクタ１０２、スイッチング素子１０３の経路となる。このとき、インダクタ１０２に電磁エネルギーが蓄えられる。次に、スイッチング素子１０３をオフにすると、インダクタ１０２に逆起電力が発生し、ダイオードブリッジ１００からの直流電圧に上記逆起電力が加わり、ダイオードブリッジ１００からの直流電圧より大きなパルス電圧が発生する。上記パルス電圧は、電解コンデンサ１０５により一定の大きさの平滑な直流電圧ＶＤＣとなる。昇圧形チョッパ１０１は、直流電圧ＶＤＣをインバータ部１１に出力する。
【００２７】
インバータ部１１は、直流電源部１０側から順に、２つのスイッチング素子１１０，１１１を直列に接続したハーフブリッジ回路と、カップリングコンデンサ１１２とを備えている。各スイッチング素子１１０，１１１は、例えば電解効果トランジスタなどであり、後述する制御部６の第１制御回路部６３からの制御信号に基づいてオンオフの切り替えを行う。上記インバータ部１１は、２つのスイッチング素子１１０，１１１のオンオフを切り替えることにより、直流電源部１０から入力される直流電圧を所望の周波数（約２０ｋＨｚ〜約３００ｋＨｚ）の高周波電圧に変換する。その後、カップリングコンデンサ１１２によって上記高周波電圧の直流成分を除去し、直流成分が除去された高周波電圧を共振回路部１２に出力する。なお、２つのスイッチング素子１１０，１１１のオンオフが切り替わる周波数をインバータ部１１の動作周波数といい、上記高周波電圧の周波数は、インバータ部１１の動作周波数に依存する。なお、インバータ部１１は、ハーフブリッジ回路に限定されるものではなく、フルブリッジ形、一石形、並列形、プッシュブル形などであってもよい。
【００２８】
共振回路部１２は、インバータ部１１側から順に、インダクタ１２０と、２つのコンデンサ１２１，１２２とを備え、固有の共振周波数を有している。インダクタ１２０は、一端がインバータ部１１のカップリングコンデンサ１１２と接続し、他端がバランサ１３及びランプ電圧検出部４と接続している。２つのコンデンサ１２１，１２２は、それぞれ放電灯２０，２１と並列に接続している。上記共振回路部１２は、インバータ部１１から高周波電圧を入力し、入力された高周波電圧を、周波数に応じて大きさを設定する。具体的には、高周波電圧は、周波数が共振周波数に近くなると大きくなり、周波数が共振周波数から遠くなると小さくなる。さらに、共振回路部１２は、上記高周波電圧を、バランサ１３を介して２つの放電灯２０，２１のそれぞれに供給する。
【００２９】
バランサ１３は、１次巻線１３０と、２次巻線１３１と、３次巻線１３２とを備え、２つの放電灯２０，２１のそれぞれと直列に接続し、２つの放電灯２０，２１間の光出力を安定化するものである。１次巻線１３０は、一端がインダクタ１２０と接続し、他端が放電灯２０及びコンデンサ１２１と接続している。２次巻線１３１は、一端がインダクタ１２０と接続し、他端が放電灯２１及びコンデンサ１２２と接続している。３次巻線１３２は、バランサ電圧検出部５と接続している。
【００３０】
ランプ電圧検出部４は、入力側から順に、２つの抵抗４０，４１及びダイオード４２の直列回路と、ダイオード４３と、抵抗４４と、コンデンサ４５とを備えている。上記ランプ電圧検出部４は、２つの放電灯２０，２１の両端間に発生するランプ電圧によってランプ異常を検出し、ランプ異常検出値として上記ランプ電圧に基づいたランプ電圧検出値を出力する。具体的には、ランプ電圧検出部４は、バランサ１３及び２つの放電灯２０，２１の両端電圧を抵抗４０，４１，４４によって分圧する。続いて、分圧電圧をダイオード４３によって整流し、コンデンサ４５によって平滑にしてランプ電圧検出値として後述の制御部６の乗算器６０に出力する。
【００３１】
バランサ電圧検出部５は、入力側から順に、２つの抵抗５０，５１及びダイオード５２の直列回路と、ダイオード５３と、抵抗５４と、コンデンサ５５とを備えている。上記バランサ電圧検出部５は、バランサ１３の３次巻線１３２に発生するバランサ電圧を検出し、上記バランサ電圧に基づいたバランサ電圧検出値を出力する。具体的には、バランサ電圧検出部５は、バランサ電圧を抵抗５０，５１，５４によって分圧する。続いて、分圧電圧をダイオード５３によって整流し、コンデンサ５５によって平滑にしてバランサ電圧検出値として後述の制御部６の乗算器６０に出力する。
【００３２】
制御部６は、入力側から順に、乗算器６０と、比較器６１と、発振停止制御回路部６２と、第１制御回路部６３と、第２制御回路部６４とを備え、バランサ電圧検出値に応じてランプ電圧検出値の補正を行い、補正値に基づいて高周波電圧の周波数を設定するようにインバータ部１１を制御して、複数の放電灯２０，２１の光出力を抑制する。なお、「複数の放電灯２０，２１の光出力を抑制する」とは、インバータ部１１の動作周波数や直流電源部１０からの直流電圧ＶＤＣなどを調整することによって、２つの放電灯２０，２１を実質的に消灯させたり、２つの放電灯２０，２１に供給する高周波電圧を減少させて調光させたり、２つの放電灯２０，２１を間欠発振させたりする制御を行うことである。
【００３３】
乗算器６０は、ランプ電圧検出部４から入力されるランプ電圧検出値に、バランサ電圧検出部５から入力されるバランサ電圧検出値を乗算し、乗算値を比較器６１に出力する。比較器６１は、乗算器６０から入力される乗算値と、予め決められた閾値電圧Ｖｒｅｆ１との比較を行い、比較結果に基づく比較信号を発振停止制御回路部６２に出力する。発振停止制御回路部６２は、比較器６１から比較信号を入力し、上記乗算値が閾値電圧Ｖｒｅｆ１を超える（比較器６１の比較信号が「Ｈ」となる）と、インバータ部１１の発振を停止させるための停止信号や高周波電圧の周波数を設定する設定信号を第１制御回路部６３及び第２制御回路部６４に出力する。第１制御回路部６３は、インバータ部１１のスイッチング素子１１０，１１１を制御する。第２制御回路部６４は、直流電源部１０のスイッチング素子１０３を制御する。
【００３４】
次に、実施形態１の照明器具の動作について図１を用いて説明する。先ず、ランプ電圧検出部４がランプ電圧を検出してランプ電圧検出値を乗算器６０に出力する。また、バランサ電圧検出部５がバランサ電圧を検出してバランサ電圧検出値を乗算器６０に出力する。続いて、制御部６において、乗算器６０がランプ電圧検出値及びバランサ電圧検出値を入力し、上記ランプ電圧検出値に上記バランサ電圧検出値を乗算する。その後、比較器６１が乗算値と閾値電圧Ｖｒｅｆ１の比較を行う。比較した結果、上記乗算値が閾値電圧Ｖｒｅｆ１を超えると、発振停止制御回路部６２が第１制御回路部６３及び第２制御回路部６４に停止信号を出力し、インバータ部１１の発振を停止させる。
【００３５】
上記より、２つの放電灯２０，２１の一方が寿命末期で他方が正常である場合、ランプ電圧検出値は、両方の放電灯２０，２１が正常である場合よりも増加するものの、バランサ１３を介して並列接続となっているので増加しにくい状態であるが、放電灯２０と放電灯２１のインピーダンスが大きく異なるので、バランサ１３の３次巻線１３２のバランサ電圧に基づくバランサ電圧検出値は、大きく増加する。したがって、ランプ電圧検出値にバランサ電圧検出値を乗算した乗算値が比較器６１の閾値電圧Ｖｒｅｆ１より大きくなり、発振停止制御回路部６２が動作し、インバータ部１１の発振を停止させることができる。一方、２つの放電灯２０，２１の両方が寿命末期である場合、バランサ電圧検出値が非常に小さくなるが、ランプ電圧検出値は非常に大きくなる。この場合も、ランプ電圧検出値にバランサ電圧検出値を乗算した乗算値が比較器６１の閾値電圧Ｖｒｅｆ１より大きくなり、発振停止制御回路部６２が動作し、インバータ部１１の発振を停止させることができる。
【００３６】
以上、実施形態１によれば、バランサ電圧検出値に応じてランプ電圧検出値を補正することができるので、すべての放電灯２０，２１が寿命末期であっても、放電灯２０，２１の一方が寿命末期で他方が正常であっても、複数の放電灯２０，２１の正常時の誤検出や寿命末期時の未検出をより低減することにより、複数の放電灯２０，２１の寿命末期を正確に検出することができる。
【００３７】
（実施形態２）
本発明の実施形態２について図３を用いて説明する。図３は、実施形態２の照明器具の要部を示す回路図である。なお、図３のａ〜ｅは図１のａ〜ｅで直流電源部１０、インバータ部１１と接続する。
【００３８】
実施形態２の照明器具は、実施形態１と同様の電球型放電灯２及びボディ３（図２参照）を備えているとともに、実施形態１の放電灯点灯装置１に代えて、図３に示すような放電灯点灯装置１ａを備えている。
【００３９】
放電灯点灯装置１ａは、図１，３に示すように、直流電源部１０と、インバータ部１１と、共振回路部１２と、バランサ１３と、バランサ電圧検出部５と、制御部６とを、実施形態１の放電灯点灯装置１（図１参照）と同様に備えているが、実施形態１の放電灯点灯装置１にはない以下に記載の特徴部分がある。
【００４０】
放電灯点灯装置１ａは、実施形態１のランプ電圧検出部４に代えて、フィラメント電圧検出部７を備えている。フィラメント電圧検出部７は、放電灯２０の電極側において、２つの抵抗７００，７０１及びダイオード７０２の直列回路と、ダイオード７０３と、抵抗７０４と、ダイオード７０５とを備え、放電灯２１の電極側において、２つの抵抗７１０，７１１及びダイオード７１２の直列回路と、ダイオード７１３と、抵抗７１４と、ダイオード７１５とを備えている。さらに、フィラメント電圧検出部７は、抵抗７２と、コンデンサ７３とを備えている。上記フィラメント電圧検出部７は、２つの放電灯２０，２１の電極に発生するフィラメント電圧を検出し、ランプ異常検出値として上記フィラメント電圧に基づいたフィラメント電圧検出値を制御部６の乗算器６０に出力する。具体的には、フィラメント電圧検出部７は、放電灯２０の電極に発生するフィラメント電圧を抵抗７００，７０１，７０４によって分圧する。続いて、分圧電圧をダイオード７０３によって整流する。同様に、放電灯２１の電極に発生するフィラメント電圧を抵抗７１０，７１１，７１４によって分圧する。続いて、分圧電圧をダイオード７１３によって整流する。上記２つの整流された電圧をコンデンサ７３によって平滑にしてフィラメント電圧検出値として制御部６の乗算器６０に出力する。
【００４１】
次に、実施形態２の照明器具の動作について図３を用いて説明する。先ず、フィラメント電圧検出部７がフィラメント電圧を検出してフィラメント電圧検出値を乗算器６０に出力する。また、バランサ電圧検出部５がバランサ電圧を検出してバランサ電圧検出値を乗算器６０に出力する。続いて、制御部６において、乗算器６０がフィラメント電圧検出値及びバランサ電圧検出値を入力し、上記フィラメント電圧検出値に上記バランサ電圧検出値を乗算する。その後、比較器６１が乗算値と閾値電圧Ｖｒｅｆ１の比較を行う。比較した結果、上記乗算値が閾値電圧Ｖｒｅｆ１を超えると、発振停止制御回路部６２が第１制御回路部６３及び第２制御回路部６４に停止信号を出力し、インバータ部１１（図１参照）の発振を停止させる。
【００４２】
以上、実施形態２によれば、２つの放電灯２０，２１の一方が寿命末期で他方が正常である場合、フィラメント電圧検出部７が放電灯２０，２１の両方に同一の閾値を用いているので、フィラメント電圧検出値は、放電灯２０のフィラメント電圧が上昇しても増加しにくいものの、放電灯２０と放電灯２１のインピーダンスが大きく異なるので、フィラメント電圧検出値にバランサ電圧検出値を乗算した乗算値を閾値電圧Ｖｒｅｆ１と比較するので、複数の放電灯２０，２１の寿命末期を確実に検出することができる。一方、２つの放電灯２０，２１の両方が寿命末期である場合、バランサ電圧検出値が非常に小さくなるが、フィラメント電圧検出値は非常に大きくなるので、複数の放電灯２０，２１の寿命末期を検出することができる。また、各放電灯２０，２１ごとに閾値電圧を設定する必要がないので、コストを抑えることができる。
【００４３】
（実施形態３）
本発明の実施形態３について図４，５を用いて説明する。図４は、実施形態３の照明器具の要部を示す回路図である。図５は、実施形態３の照明器具におけるバランサ電圧検出値と閾値電圧Ｖｒｅｆ１の関係を示す図である。なお、図４のｃ〜ｇは図１のｃ〜ｇで直流電源部１０、インバータ部１１、共振回路部１２と接続する。
【００４４】
実施形態３の照明器具は、実施形態１と同様の電球型放電灯２（図１参照）及びボディ３（図２参照）を備えているとともに、実施形態１の放電灯点灯装置１に代えて、図４に示すような放電灯点灯装置１ｂを備えている。
【００４５】
放電灯点灯装置１ｂは、図１，４に示すように、直流電源部１０と、インバータ部１１と、共振回路部１２と、バランサ１３と、ランプ電圧検出部４と、バランサ電圧検出部５とを、実施形態１の放電灯点灯装置１（図１参照）と同様に備えているが、実施形態１の放電灯点灯装置１にはない以下に記載の特徴部分がある。
【００４６】
放電灯点灯装置１ｂは、実施形態１の制御部６に代えて、図４に示すような制御部６ａを備えている。制御部６ａは、比較器６１と、発振停止制御回路部６２と、第１制御回路部６３と、第２制御回路部６４とを備えているとともに、オペアンプ６５１を備えている。また、オペアンプ６５１にはコンデンサ６５２及び抵抗６５３が接続されている。さらに、オペアンプ６５１のＬ端子（「−」端子）は、抵抗６５０を介してバランサ電圧検出部５の出力端と接続している。オペアンプ６５１の出力は、比較器６１の閾値電圧Ｖｒｅｆ１となる。つまり、バランサ電圧の変化によって比較器６１の閾値電圧Ｖｒｅｆ１が変化する。具体的には、比較器６１の閾値電圧Ｖｒｅｆ１は、図５に示すように、バランサ電圧検出値が大きくなると小さくなり、バランサ電圧検出値が小さくなると大きくなる。
【００４７】
比較部６１は、図４に示すように、バランサ電圧検出値に基づいた閾値電圧Ｖｒｅｆ１とランプ電圧検出値を比較し、比較結果に基づく比較信号を発振停止制御回路部６２に出力する。発振停止制御回路部６２は、比較器６１から比較信号を入力し、ランプ電圧検出値が閾値電圧Ｖｒｅｆ１を超えると、インバータ部１１（図１参照）の発振を停止させるための停止信号や高周波電圧の周波数を設定する設定信号を第１制御回路部６３及び第２制御回路部６４に出力する。第１制御回路部６３は、インバータ部１１のスイッチング素子１１０，１１１を制御する。第２制御回路部６４は、直流電源部１０のスイッチング素子１０３を制御する。上記のようにして、インバータ部１１を制御して、複数の放電灯２０，２１の光出力を抑制する。
【００４８】
なお、制御部６ａは、上記以外の点において、実施形態１の制御部６（図１参照）と同様である。
【００４９】
次に、実施形態３の照明器具の動作について図４を用いて説明する。放電灯２０，２１（図１参照）の一方が寿命末期で他方が正常である場合、ランプ電圧検出値があまり増加しないが、比較器６１の閾値電圧Ｖｒｅｆ１は小さくなるので、放電灯２０，２１の寿命末期を検出することができる。一方、放電灯２０，２１の両方が寿命末期である場合、バランサ電圧検出値が増加しないので、比較器６１の閾値電圧Ｖｒｅｆ１が高くなるものの、ランプ電圧検出値も増加するので、この場合も放電灯２０，２１の寿命末期を検出することができる。
【００５０】
以上、実施形態３によれば、複数の放電灯２０，２１（図１参照）に対して正常時の誤検出や寿命末期時の未検出をより低減することができるので、複数の放電灯２０，２１の寿命末期をより正確に検出することができるとともに安全性をより確実に確保することができる。また、乗算器を用いる必要がないので、コストを抑えることができる。
【００５１】
（実施形態４）
本発明の実施形態４について図６を用いて説明する。図６は、実施形態４の照明器具の要部を示す回路図である。なお、図６のａ〜ｅは図１のａ〜ｅで直流電源部１０、インバータ部１１と接続する。
【００５２】
実施形態４の照明器具は、実施形態１と同様の電球型放電灯２及びボディ３（図２参照）を備えているとともに、実施形態１の放電灯点灯装置１に代えて、図６に示すような放電灯点灯装置１ｃを備えている。
【００５３】
放電灯点灯装置１ｃは、図１，６に示すように、直流電源部１０と、インバータ部１１と、共振回路部１２と、バランサ１３と、ランプ電圧検出部４とを、実施形態１の放電灯点灯装置１と同様に備えているが、実施形態１の放電灯点灯装置１にはない以下に記載の特徴部分がある。
【００５４】
放電灯点灯装置１ｃは、実施形態１のバランサ電圧検出部５及び制御部６に代えて、図６に示すようなバランサ電圧検出部５ａ及び制御部６ｂを備えている。バランサ電圧検出部５ａは、入力側から順に、ダイオードブリッジ５６と、コンデンサ５５と、抵抗５７とを備え、バランサ電圧に基づいたバランサ電圧検出値を出力する。
【００５５】
制御部６ｂは、入力側から順に、比較器６１と、発振停止制御回路部６２と、第１制御回路部６３と、第２制御回路部６４とを備えている。比較器６１は、ランプ電圧検出値にバランサ電圧検出値を直流バイアスとして加算した加算値を、予め決められた閾値電圧Ｖｒｅｆ１と比較する。発振停止制御回路部６２は、上記加算値が閾値電圧Ｖｒｅｆ１を超えると、高周波電圧の周波数を設定するようにインバータ部１１を制御して、複数の放電灯２０，２１の出力を抑制する。なお、制御部６ｂは、上記以外の点において、実施形態１の制御部６（図１参照）と同様である。
【００５６】
次に、実施形態４の照明器具の動作について図６を用いて説明する。放電灯２０，２１の一方が寿命末期で他方が正常である場合、ランプ電圧検出値があまり増加しないが、バランサ電圧検出値が増加するので、比較器６１のＨ端子（「＋」端子）に入力される加算値は閾値電圧Ｖｒｅｆ１より大きくなり、放電灯２０，２１の寿命末期を検出することができる。一方、放電灯２０，２１の両方が寿命末期である場合、バランサ電圧検出値が増加しないが、ランプ電圧検出値が増加するので、加算値が閾値電圧Ｖｒｅｆ１より大きくなり、放電灯２０，２１の寿命末期を検出することができる。
【００５７】
以上、実施形態４によれば、ランプ電圧検出値にバランサ電圧検出値を直流バイアスとして加算することにより、すべての放電灯２０，２１が寿命末期であっても、放電灯２０，２１の一方が寿命末期で他方が正常であっても、複数の放電灯２０，２１の寿命末期をより正確に検出することができる。また、乗算器やオペアンプを用いる必要がないので、コストを抑えることができる。
【００５８】
（実施形態５）
本発明の実施形態５について図７を用いて説明する。図７は、実施形態５の照明器具の要部を示す回路図である。図８は、実施形態５の照明器具におけるランプ電圧又はバランサ電圧とランプ電圧検出値又はバランサ電圧検出値との関係を示す図である。なお、図７のｈは図６のｈでランプ電圧検出部４及びバランサ電圧検出部５ａと接続する。また、図７のｃ〜ｅは図１のｃ〜ｅで直流電源部１０、インバータ部１１と接続する。
【００５９】
実施形態５の照明器具は、実施形態４と同様の電球型放電灯２（図６参照）及びボディ３（図２参照）を備えているとともに、実施形態４の放電灯点灯装置１ｃに代えて、図７に示すような放電灯点灯装置１ｄを備えている。また、実施形態５の照明器具は、放電灯点灯装置１ｄの外部に調光器８を備えている。
【００６０】
調光器８は、後述する放電灯点灯装置１ｄのデューティーＤＣ変換回路部（Ｄｕｔｙ−ＤＣ変換回路部）１４に調光デューティー信号を出力する。調光デューティー信号は、フル点灯時ではオンデューティーが小さく、調光するにしたがってオンデューティーが大きくなる。
【００６１】
放電灯点灯装置１ｄは、図１，６，７に示すように、直流電源部１０と、インバータ部１１と、共振回路部１２と、バランサ１３と、ランプ電圧検出部４と、バランサ電圧検出部５ａとを、実施形態４の放電灯点灯装置１ｃと同様に備えているが、実施形態４の放電灯点灯装置１ｃにはない以下に記載の特徴部分がある。
【００６２】
放電灯点灯装置１ｄは、図７に示すように、デューティーＤＣ変換回路部１４を備えている。デューティーＤＣ変換回路部１４は、高周波電圧の周波数を調整して２つの放電灯２０，２１（図６参照）の光出力を調光する調光手段である。具体的には、デューティーＤＣ変換回路部１４は、調光器８から調光デューティー信号を入力し、上記調光デューティー信号を調光ＤＣ信号に変換し、上記調光ＤＣ信号を、後述する制御部６ｃの第１制御回路部６３に出力する。調光ＤＣ信号は、フル点灯時では小さく、調光するにしたがって大きくなる。また、調光ＤＣ信号は、後述する制御部６ｃの加算器６６に出力され、ランプ電圧検出値にバランサ電圧検出値が加算された加算値に加算される。
【００６３】
また、放電灯点灯装置１ｄは、実施形態４の制御部６ｂに代えて、図７に示すような制御部６ｃを備えている。制御部６ｃは、比較器６１と、発振停止制御回路部６２と、第１制御回路部６３と、第２制御回路部６４とを備えているとともに、加算器６６を備えている。加算器６６は、デューティーＤＣ変換回路部１４の出力値である調光ＤＣ信号の値を加算値に加算する。また、第１制御回路部６３に入力される調光ＤＣ信号が増加すると、第１制御回路部６３は、インバータ部１１（図１参照）の動作周波数を高くして放電灯２０，２１（図６参照）を調光させる。なお、制御部６ｃは、上記以外の点において、実施形態４の制御部６ｂ（図６参照）と同様である。
【００６４】
ここで、図８に示すように、ランプ電圧が同じであっても、ランプ電圧検出値は調光レベルに応じて変化してしまう。これは、実際の回路ではランプ電圧検出部４（図６参照）での消費電力を抑えるために、ランプ電圧を高インピーダンスの抵抗で分圧してランプ電圧検出値を生成している。このために、高い動作周波数では、漏れ電流が発生しやすくなっている。これにより、実施形態５において、数μＡの電流でランプ電圧検出値を生成するので、回路パターン間の無視し得ない浮遊静電容量やダイオード、コンデンサなどによる僅かな漏れ電流が、ランプ電圧検出値に大きく影響するのである。なお、バランサ電圧検出値についても同様である。
【００６５】
次に、実施形態５の照明器具の動作について図７を用いて説明する。先ず、加算器６６が、調光するにしたがって増加する調光ＤＣ信号を、ランプ電圧検出値にバランサ電圧検出値を加算した加算値に加算する。比較器６１が加算値と閾値電圧Ｖｒｅｆ１を比較し、周波数が高くなって漏れ電流が増加し、ランプ電圧検出値及びバランサ電圧検出値が低下する場合であっても、放電灯２０，２１（図６参照）の寿命末期を確実に検出することができる。
【００６６】
以上、実施形態５によれば、高周波電圧の周波数に応じてランプ電圧検出値を調整することができるので、ランプ電圧検出値に漏れ電流や磁気影響などの歪みが発生した場合であっても、複数の放電灯２０，２１（図６参照）の寿命末期をより正確に検出することができる。これにより、調光に応じて、寿命末期検出の閾値電圧Ｖｒｅｆ１を変化させない場合には非常に有効である。
【００６７】
（実施形態６）
本発明の実施形態６について図９を用いて説明する。図９は、実施形態６の照明器具の要部を示す回路図である。なお、図９のａ，ｂ，ｈは図６のａ，ｂ，ｈで共振回路部１２、ランプ電圧検出部４、バランサ電圧検出部５ａと接続する。また、図９のｃ，ｉ，ｊは図１のｃ，ｉ，ｊで直流電源部１０と接続する。
【００６８】
実施形態６の照明器具は、実施形態４と同様の電球型放電灯２（図６参照）及びボディ３（図２参照）を備えているとともに、実施形態４の放電灯点灯装置１ｃに代えて、図９に示すような放電灯点灯装置１ｅを備えている。
【００６９】
放電灯点灯装置１ｅは、図１，６，９に示すように、直流電源部１０と、共振回路部１２と、バランサ１３と、ランプ電圧検出部４と、バランサ電圧検出部５ａとを、実施形態４の放電灯点灯装置１ｃと同様に備えているが、実施形態４の放電灯点灯装置１ｃにはない以下に記載の特徴部分がある。
【００７０】
放電灯点灯装置１ｅは、実施形態４の制御部６ｂに代えて、図９に示すような制御部６ｄを備えている。制御部６ｄは、比較器６１と、発振停止制御回路部６２と、第１制御回路部６３と、第２制御回路部６４と、加算器６６とを備えている。なお、制御部６ｄは、上記以外の点において、実施形態４の制御部６ｂ（図７参照）と同様である。
【００７１】
また、放電灯点灯装置１ｅは、インバータ部１１のスイッチング素子１１１に接続する抵抗６７４を備え、さらに、抵抗６７０を介してオペアンプ６７１を備えている。また、オペアンプ６７１には抵抗６７２及びコンデンサ６７３が接続されている。インバータ部１１を流れる共振電流が増加すると、オペアンプ６７１のＨ端子（「＋」端子）に入力される信号が増加するので、オペアンプ６７１の出力電圧が増加する。オペアンプ６７１の出力電圧は、制御部６ｄの加算器６６に入力され、ランプ電圧検出値にバランサ電圧検出値が加算された加算値に加算される。
【００７２】
次に、実施形態６の照明器具の動作について図９を用いて説明する。スイッチング素子１１１に流れる共振電流を抵抗６７４で検出し、フィードバック用のオペアンプ６７１でフィードバックし、オペアンプ６７１の出力電圧が第１制御回路部６３を介してインバータ部１１の動作周波数を決定する。実施形態６では、オペアンプ６７１の出力電圧が増加すると上記動作周波数が高くなって放電灯２０，２１（図６参照）の出力が低下する。これに対して、オペアンプ６７１の出力電圧が低下すると上記動作周波数が低くなって放電灯２０，２１の出力が増加する。上記より、放電灯２０，２１の寿命や周囲温度の変化などで放電灯２０，２１の電力が変化しにくくなる。
【００７３】
以上、実施形態６によれば、常に共振電流が一定となるように動作周波数が変化する回路において、動作周波数が高くなるにしたがって、オペアンプ６７１の出力電圧を、ランプ電圧検出値とバランサ電圧検出値の加算値に加算して、比較器６１で閾値電圧Ｖｒｅｆ１と比較するので、周波数が高くなって漏れ電流が増加し、ランプ電圧検出値及びバランサ電圧検出値が低下する場合であっても、放電灯２０，２１の寿命末期を確実に検出することができる。
【００７４】
（実施形態７）
本発明の実施形態７について図１０を用いて説明する。図１０は、実施形態７の照明器具の要部を示す回路図である。図１１は、実施形態７の照明器具における調光ＤＣ信号と閾値電圧の関係を示す図である。なお、図１０のｈは図６のｈでランプ電圧検出部４及びバランサ電圧検出部５ａと接続する。また、図１０のｃ〜ｅは図１のｃ〜ｅで直流電源部１０、インバータ部１１と接続する。
【００７５】
実施形態７の照明器具は、実施形態４と同様の電球型放電灯２（図６参照）及びボディ３（図２参照）を備えているとともに、実施形態４の放電灯点灯装置１ｃに代えて、図１０に示すような放電灯点灯装置１ｆを備えている。
【００７６】
放電灯点灯装置１ｆは、図１，１０に示すように、直流電源部１０と、インバータ部１１と、共振回路部１２と、バランサ１３と、ランプ電圧検出部４と、バランサ電圧検出部５ａとを、実施形態４の放電灯点灯装置１ｃと同様に備えているが、実施形態４の放電灯点灯装置１ｃにはない以下に記載の特徴部分がある。
【００７７】
放電灯点灯装置１ｆは、デューティーＤＣ変換回路部１４を備えている。デューティーＤＣ変換回路部１４は、高周波電圧の周波数を調整して複数の放電灯２０，２１（図６参照）の光出力を調光する調光手段である。
【００７８】
また、放電灯点灯装置１ｆは、実施形態４の制御部６ｂに代えて、図１０に示すような制御部６ｅを備えている。制御部６ｅは、比較器６１と、発振停止制御回路部６２と、第１制御回路部６３と、第２制御回路部６４とを備えている。比較器６１のＬ端子（「−」端子）には、オペアンプ６８１が接続され、オペアンプ６８１の出力が比較器６１の閾値電圧となっている。また、オペアンプ６８１のＬ端子（「−」端子）がデューティーＤＣ変換回路部１４の出力端と接続している。上記より、比較器６１は、デューティーＤＣ変換回路部１４からの出力値である調光ＤＣ信号に応じて閾値電圧を設定する。具体的には、比較器６１の閾値電圧は、図１１に示すように、調光ＤＣ信号が大きくなると小さくなり、調光ＤＣ信号が小さくなると大きくなる。なお、制御部６ｅは、上記以外の点において、実施形態４の制御部６ｂ（図６参照）と同様である。
【００７９】
以上、実施形態７によれば、高周波電圧の周波数に応じて閾値を調整することができるので、ランプ電圧検出値に漏れ電流や磁気影響などの歪みが発生した場合であっても、複数の放電灯２０，２１（図６参照）の寿命末期をより正確に検出することができる。例えば、調光するにしたがって比較器６１の閾値電圧が低下し、周波数が高くなって漏れ電流が増加し、ランプ電圧検出値及びバランサ電圧検出値が低下する場合であっても、放電灯２０，２１の寿命末期を確実に検出することができる。また、加算器を用いる必要がないので、コストを抑えることができる。
【００８０】
（実施形態８）
本発明の実施形態８について図１２を用いて説明する。図１２は、実施形態８の照明器具の要部を示す回路図である。図１３は、実施形態８の照明器具におけるスイッチング素子のオンデューティーとランプ電力の関係を示す図である。図１４は、実施形態８の照明器具におけるランプ電圧又はバランサ電圧とランプ電圧検出値又はバランサ電圧検出値との関係を示す図である。なお、図１２のｈは図６のｈでランプ電圧検出部４及びバランサ電圧検出部５ａと接続する。また、図１２のｃ〜ｅは図１のｃ〜ｅで直流電源部１０、インバータ部１１と接続する。
【００８１】
実施形態８の照明器具は、実施形態４と同様の電球型放電灯２（図６参照）及びボディ３（図２参照）を備えているとともに、実施形態４の放電灯点灯装置１ｃに代えて、図１２に示すような放電灯点灯装置１ｇを備えている。
【００８２】
放電灯点灯装置１ｇは、図１，１２に示すように、直流電源部１０と、インバータ部１１と、共振回路部１２と、バランサ１３と、ランプ電圧検出部４と、バランサ電圧検出部５ａとを、実施形態４の放電灯点灯装置１ｃと同様に備えているが、実施形態４の放電灯点灯装置１ｃにはない以下に記載の特徴部分がある。
【００８３】
放電灯点灯装置１ｇは、デューティーＤＣ変換回路部１４を備えている。デューティーＤＣ変換回路部１４は、高周波電圧の周波数を一定にして放電灯２０，２１（図６参照）の光出力を調光する調光手段である。具体的には、インバータ部１１のスイッチング素子１１０，１１１（図１参照）のオンデューティーを変化させるデューティー調光を行う。
【００８４】
また、放電灯点灯装置１ｇは、実施形態４の制御部６ｂに代えて、図１２に示すような制御部６ｆを備えている。制御部６ｆは、比較器６１と、発振停止制御回路部６２と、第１制御回路部６３と、第２制御回路部６４とを備えている。第１制御回路部６３は、デューティー比設定回路（図示せず）を内蔵し、スイッチング素子１１０，１１１のそれぞれの始動時におけるオンデューティーを設定する。なお、制御部６ｆは、上記以外の点において、実施形態４の制御部６ｂ（図７参照）と同様である。
【００８５】
次に、実施形態８の照明器具の動作について図１２を用いて説明する。先ず、スイッチング素子１１０，１１１（図１参照）のオンデューティー比が等しい場合、カップリングコンデンサ１１２（図１参照）の両端電圧がゼロになり、インバータ部１１（図１参照）の高周波電圧（高周波矩形電力）がすべて共振回路部１２（図６参照）に出力される。これにより、図１３に示すように、ランプ電力が最大となる。これに対して、スイッチング素子１１０のオン期間がスイッチング素子１１１のオン期間より大きい、又はスイッチング素子１１１のオン期間がスイッチング素子１１０のオン期間より大きい場合、スイッチング素子１１０，１１１のオン期間の差に応じてカップリングコンデンサ１１２に直流電圧が蓄積される。そのため、共振回路部１２には平滑なコンデンサ１０５（図１参照）の両端電圧からカップリングコンデンサ１１２の両端電圧を差し引いた電圧に相当する高周波電圧が出力されるので、図１３に示すように、ランプ電力が低下する。
【００８６】
また、インバータ部１１（図１参照）の動作周波数が一定で調光されるので、図１４に示すように、ランプ電圧検出値やバランサ電圧検出値の漏れ電流の影響による動作周波数の違いがほとんどない。よって、調光ＤＣ信号に応じて、ランプ電圧検出値やバランサ電圧検出値、閾値電圧を変化させる必要がない。
【００８７】
以上、実施形態８によれば、複数の放電灯２０，２１（図６参照）に対して調光を行った場合であっても高周波電圧の周波数を略一定とすることができるので、ランプ電圧検出値に漏れ電流が発生することがなく、複数の放電灯２０，２１の寿命末期をより正確に検出することができる。また、コストを抑えることができる。
【００８８】
なお、実施形態８の変形例として、インバータ部にある２つのスイッチング素子のオンデューティーをアンバランスにした調光方式に代えて、直流電源部からの直流電圧を可変する調光方式や他の調光方式を用いてもよい。このようにしても、実施形態８と同様の効果を奏することができる。
【００８９】
また、実施形態１〜８の変形例として、図１５に示すようなボディ３ａを用いてもよい。このような構成にしても、実施形態１〜８と同様の効果を奏することができる。
【００９０】
さらに、実施形態１〜８の変形例として、ランプ異常検出値は、ランプ電圧やフィラメント電圧に基づいたものに限定されるものではなく、複数の放電灯に流れる電流、複数の放電灯のインピーダンス、放電灯の消費電力、及び複数の放電灯の照度、温度、輝度、光束若しくは光度から変換された電気信号など、他の電気的パラメータに基づいたものであってもよい。
【図面の簡単な説明】
【００９１】
【図１】本発明による実施形態１の照明器具を示す回路図である。
【図２】同上の照明器具の構成を示す概略図である。
【図３】本発明による実施形態２の照明器具の要部を示す回路図である。
【図４】本発明による実施形態３の照明器具の要部を示す回路図である。
【図５】同上の照明器具におけるバランサ電圧検出値と閾値電圧の関係を示す図である。
【図６】本発明による実施形態４の照明器具の要部を示す回路図である。
【図７】本発明による実施形態５の照明器具の要部を示す回路図である。
【図８】同上の照明器具におけるランプ電圧又はバランサ電圧とランプ電圧検出値又はバランサ電圧検出値との関係を示す図である。
【図９】本発明による実施形態６の照明器具の要部を示す回路図である。
【図１０】本発明による実施形態７の照明器具の要部を示す回路図である。
【図１１】同上の照明器具における調光ＤＣ信号と閾値電圧の関係を示す図である。
【図１２】本発明による実施形態８の照明器具の要部を示す回路図である。
【図１３】同上の照明器具におけるスイッチング素子のオンデューティーとランプ電力の関係を示す図である。
【図１４】同上の照明器具におけるランプ電圧又はバランサ電圧とランプ電圧検出値又はバランサ電圧検出値との関係を示す図である。
【図１５】実施形態１〜８の照明器具における他の照明器具の構成を示す概略図である。
【図１６】従来の照明器具を示す回路図である。
【図１７】従来の他の照明器具における要部を示す回路図である。
【図１８】従来の他の照明器具における要部を示す回路図である。
【符号の説明】
【００９２】
１１  インバータ部
１２  共振回路部
１３  バランサ
２０，２１  放電灯
４  ランプ電圧検出部
５  バランサ電圧検出部
６  制御部
６０  乗算器
６１  比較器
６２  発振停止制御回路部
６３  第１制御回路部
６４  第２制御回路部
【図１】
2007103136.tif 000003
【図２】
2007103136.tif 000004
【図３】
2007103136.tif 000005
【図４】
2007103136.tif 000006
【図５】
2007103136.tif 000007
【図６】
2007103136.tif 000008
【図７】
2007103136.tif 000009
【図８】
2007103136.tif 000010
【図９】
2007103136.tif 000011
【図１０】
2007103136.tif 000012
【図１１】
2007103136.tif 000013
【図１２】
2007103136.tif 000014
【図１３】
2007103136.tif 000015
【図１４】
2007103136.tif 000016
【図１５】
2007103136.tif 000017
【図１６】
2007103136.tif 000018
【図１７】
2007103136.tif 000019
【図１８】
2007103136.tif 000020